(57)【要約】【課題】掃除用ブラシの配置、嵩のあるゴミの回収、掃除用ブラシの逆転防止、塵埃等の飛散の防止、旋回性能および直進走行性能の向上、操作性の向上、作業性の向上。【解決手段】左右一対の走行車輪１０の前側に、左右一対の縦軸回転の掃除用縦軸ブラシ２１を設け、縦軸ブラシ２１の後方に回収口部３２により前側開口させた集塵ボックス３１を設ける。左右の縦軸ブラシ２１は平面視夫々円形に形成し、互いに左右方向の中間部分で接触する接触部３０を形成する。各縦軸ブラシ２１のブラシ縦軸２２の傘歯車２７と前側回転軸１３に設けた傘歯車２８を噛み合わせて、左右の縦軸ブラシ２１を互いに反対回転させる。前側回転軸１３の左右両側の各従動歯車１４と走行車輪１０の車軸１１に設けた出力歯車１５との間にチェン１６を掛け回し、前記出力歯車１５には走行車輪１０の回転出力するが、縦軸ブラシ２１からの逆回転は伝達しないワンウエイクラッチ１７を設ける。【選択図】図２
2012085735.tif 000002
【特許請求の範囲】
【請求項１】
左右一対の走行車輪１０と後側走行車輪１２とを設けたフレーム２の前側に、左右一対の縦軸回転の掃除用縦軸ブラシ２１を設け、該掃除用縦軸ブラシ２１の後方に回収口部３２により前側開口させた集塵ボックス３１を設け、前記左右の掃除用縦軸ブラシ２１は平面視夫々円形形状に形成し、互いに左右方向の中間部分で接触する接触部３０を形成し、前記各掃除用縦軸ブラシ２１のブラシ縦軸２２の傘歯車２７には前記本体１の前側に設けた前側回転軸１３に設けた傘歯車２８を噛み合わせ、左右の掃除用縦軸ブラシ２１を互いに反対回転させる構成とし、前記前側回転軸１３の左右両側には従動歯車１４を夫々設け、各従動歯車１４には前記走行車輪１０の車軸１１に設けた出力歯車１５との間にチェン１６を掛け回し、前記出力歯車１５には走行車輪１０の回転出力するが、掃除用縦軸ブラシ２１からの逆回転は伝達しないワンウエイクラッチ１７を設けた手動式掃除機。
【請求項２】
請求項１において、前記左右の掃除用縦軸ブラシ２１は、前記ブラシ縦軸２２の下部に設け、前記各掃除用縦軸ブラシ２１のブラシ縦軸２２の傘歯車２７は前記ブラシ縦軸２２の上部に設け、前記前側回転軸１３は、前記掃除用縦軸ブラシ２１の基部より上方に位置させ、前記フレーム２には前記掃除用縦軸ブラシ２１の基部より上方に位置する前側開口部５５を形成したカバー３を設けた手動式掃除機。
【請求項３】
請求項１において、前記接触部３０の下方には床上のゴミを前記集塵ボックス３１の回収口部３２に誘導する前下がり傾斜の誘導体４０を設けた手動式掃除機。
【請求項４】
請求項３において、前記集塵ボックス３１の底板３３の前端には前方に至るに従い高く傾斜させた前側起立部４６を設け、前記集塵ボックス３１の側板３４には、掃除用縦軸ブラシ２１が通過しうる切欠部５０を設け、該切欠部５０を通過する前記掃除用縦軸ブラシ２１の後部は前記集塵ボックス３１の前側起立部４６を越えて後側の底板３３の上方で回転する構成とした手動式掃除機。
【発明の詳細な説明】
【技術分野】
【０００１】
本発明は、ハンドルを手動で押すことで掃除用ブラシを回転させ、回転する掃除用ブラシにより集塵ボックスにごみや塵埃等を集める手動式掃除機に係るものである。
【背景技術】
【０００２】
従来、左右一対の走行車輪および走行車輪を設けた本体ケースを前側のケースと、後側のケースとに分割形成し、後側のケースには掃除用横軸ブラシを設け、前側ケース全体を集塵ボックスに形成した構成は公知である（特許文献１）。
【先行技術文献】
【特許文献】
【０００３】
【特許文献１】特開２００１−３７６９５号公報
【発明の概要】
【発明が解決しようとする課題】
【０００４】
前記公知例では、ブラシの前側に集塵ボックスを設けている。これは、塵埃の回収を主目的とし、空コップや空き缶等の立体状の所謂嵩のあるゴミの回収は考慮されていないことの証左であり、公知例の構成では嵩のあるゴミの回収ができず、別途、手作業で回収していたので、作業が面倒であるという課題がある。
即ち、公知例は、掃除用ブラシを横軸回転としているので、集塵ボックスの回収口部の下端はブラシの回転軌跡に対してなるべく低く設置され、空コップや空き缶等のゴミは集塵ボックスの下端を通過できず、回収できないのである。
本願は、空コップや空き缶等の嵩のあるゴミの回収も可能にし、作業効率を向上させたものである。
【課題を解決するための手段】
【０００５】
本発明は、左右一対の走行車輪１０と後側走行車輪１２とを設けたフレーム２の前側に、左右一対の縦軸回転の掃除用縦軸ブラシ２１を設け、該掃除用縦軸ブラシ２１の後方に回収口部３２により前側開口させた集塵ボックス３１を設け、前記左右の掃除用縦軸ブラシ２１は平面視夫々円形形状に形成し、互いに左右方向の中間部分で接触する接触部３０を形成し、前記各掃除用縦軸ブラシ２１のブラシ縦軸２２の傘歯車２７には前記本体１の前側に設けた前側回転軸１３に設けた傘歯車２８を噛み合わせ、左右の掃除用縦軸ブラシ２１を互いに反対回転させる構成とし、前記前側回転軸１３の左右両側には従動歯車１４を夫々設け、各従動歯車１４には前記走行車輪１０の車軸１１に設けた出力歯車１５との間にチェン１６を掛け回し、前記出力歯車１５には走行車輪１０の回転出力するが、掃除用縦軸ブラシ２１からの逆回転は伝達しないワンウエイクラッチ１７を設けた手動式掃除機としたものである。
本発明は、前記左右の掃除用縦軸ブラシ２１は、前記ブラシ縦軸２２の下部に設け、前記各掃除用縦軸ブラシ２１のブラシ縦軸２２の傘歯車２７は前記ブラシ縦軸２２の上部に設け、前記前側回転軸１３は、前記掃除用縦軸ブラシ２１の基部より上方に位置させ、前記フレーム２には前記掃除用縦軸ブラシ２１の基部より上方に位置する前側開口部５５を形成したカバー３を設けた手動式掃除機としたものである。
本発明は、前記接触部３０の下方には床上のゴミを前記集塵ボックス３１の回収口部３２に誘導する前下がり傾斜の誘導体４０を設けた手動式掃除機としたものである。
本発明は、前記集塵ボックス３１の底板３３の前端には前方に至るに従い高く傾斜させた前側起立部４６を設け、前記集塵ボックス３１の側板３４には、掃除用縦軸ブラシ２１が通過しうる切欠部５０を設け、該切欠部５０を通過する前記掃除用縦軸ブラシ２１の後部は前記集塵ボックス３１の前側起立部４６を越えて後側の底板３３の上方で回転する構成とした手動式掃除機としたものである。
【発明の効果】
【０００６】
請求項１の発明では、左右一対の縦軸回転の掃除用縦軸ブラシ２１の後方に前側開口の集塵ボックス３１を設けているので、空コップや空き缶等の嵩のあるゴミであっても、左右の掃除用縦軸ブラシ２１間を通過させることができ、集塵ボックス３１に回収でき、回収効率を向上させ、操作性作業性を向上させられる。
また、左右の掃除用縦軸ブラシ２１は互いの左右の中間部分で接触する接触部３０を形成しているので、掃除用縦軸ブラシ２１の掃き入れ作用を向上させて、空コップや空き缶等の嵩のあるゴミの回収効率を向上させることができる。
また、ワンウエイクラッチ１７を設けているので、各掃除用縦軸ブラシ２１は確実に回転させ、本体１の直進走行性能を向上させることができ、しかも、、左右旋回するとき、左右の走行車輪１０に回転差が生じても旋回内側の出力歯車１５が空転することで回転差を吸収し、円滑に旋回させることができる。
請求項２の発明では、左右の掃除用縦軸ブラシ２１に回転伝達する前側回転軸１３および本体１のカバー３の前側開口部５５を、掃除用縦軸ブラシ２１の基部より上方に位置させているので、一層、空コップや空き缶等の嵩のあるゴミの回収効率を向上させることができる。
請求項３の発明では、左右一対の掃除用縦軸ブラシ２１の接触部３０と相俟ってゴミの回収効率を向上させることができる。
請求項４の発明では、切欠部５０により掃除用縦軸ブラシ２１の後部が集塵ボックス３１の前側起立部４６を越えて底板３３上を回転するので、切欠部５０の存在による掃除用縦軸ブラシ２１の配置と後側誘導体４１との相乗効果により、一層、回収効率を向上させることができる。
【図面の簡単な説明】
【０００７】
【図１】手動式掃除機の平面図。
【図２】手動式掃除機のフレームの平面図。
【図３】車輪部分の断面図。
【図４】手動式掃除機の縦断側面図。
【図５】回転伝動機構の概略図。
【図６】ブラシ部分の拡大図。
【図７】集塵ボックスとブラシと誘導体との配置説明図。
【図８】手動式掃除機の底面図。
【図９】集塵ボックスの着脱状態図。
【図１０】カバーを外した手動式掃除機の正面図。
【図１１】手動式掃除機の正面図。
【図１２】手動式掃除機の側面図。
【図１３】カバーを外した手動式掃除機の側面図。
【発明を実施するための形態】
【０００８】
本発明の実施例を図面により説明すると、１は掃除機の本体１であり、本体１はフレーム２と後述するカバー３を有する。フレーム２は左右一対の側部フレーム４の後部を後側連結フレーム５により連結している。
前記左右の側部フレーム４には左右側板７を固定する。８は左右の側板７を連結する連結杆である。
左右の側板７の所定位置には左右一対の走行車輪１０を車軸１１により夫々設ける。前記後側連結フレーム５の左右中間位置には後側走行車輪１２を設ける。後側走行車輪１２は、所謂キャスター輪（自在輪）に形成し、本体１の走行方向の変換を容易にしている。
【０００９】
前記側板７の前側部分には、左右方向の前側回転軸１３の両端側を軸装する。前側回転軸１３の両端には従動歯車１４を夫々設ける。従動歯車１４には前記各車軸１１に設けた出力歯車１５との間にチェン１６を夫々掛け回す。左右の出力歯車１５には、一方からの回転は伝達する、他方からの回転は伝達しない所謂ワンウエイクラッチ１７を内蔵させる。
したがって、ワンウエイクラッチ１７は車軸１１の正回転を出力するが、逆回転は車軸１１に伝達しないので、その結果、旋回等の左右の出力歯車１５の回転に速度差が生じた場合には、左右の出力歯車１５のうちの早い回転が各従動歯車１４に伝達される。
【００１０】
前記左右の側板７の前側内側部分には取付部材２０を夫々設け、各取付部材２０には掃除用縦軸ブラシ２１を夫々設ける。掃除用縦軸ブラシ２１はブラシ縦軸２２により前記取付部材２０に軸装する。ブラシ縦軸２２は上側部分を軸受２３に軸装し、軸受２３の下方のブラシ縦軸２２の下部部分にブラシ２５を植毛させた円形状の回転体２６を固定する。
ブラシ縦軸２２の上部には傘歯車２７を設け、傘歯車２７には前記前側回転軸１３に設けた傘歯車２８を噛み合わせる。左右の掃除用縦軸ブラシ２１は、左右中間にゴミや塵埃等を集めるように、互いに、反対回転させる。
左右の掃除用縦軸ブラシ２１は平面視夫々円形形状に形成する。２１は、互いの左右中心のブラシ縦軸２２を、掃除用縦軸ブラシ２１の直径より短い左右間隔で配置し、掃除用縦軸ブラシ２１の円が左右中間部分で重なるように配置し、互いに中央部分で弾性変形して接触する接触部３０を形成する。
【００１１】
前記掃除用縦軸ブラシ２１の後方には、ゴミや塵埃等を回収する集塵ボックス３１を設ける。集塵ボックス３１は、前側に回収口部３２を形成し、底板３３と左右側板３４と後板３５と天板３６を有する箱形状に形成する。天板３６の上面には把手３７を設ける。
底板３３の前方には、前下がり傾斜の誘導体４０の基部を臨ませる。誘導体４０は薄い金属板により形成する。誘導体４０は、前記左右の掃除用縦軸ブラシ２１の中央の接触部３０の下方に位置させる。誘導体４０は平面視において接触部３０と重なっていればよいが、誘導体４０の先端は接触部３０の前端よりやや後側に位置させ、誘導体４０の左右幅は接触部３０よりやや広い面積を有していると、掃除用縦軸ブラシ２１によるゴミの回収効率を向上させられて好適である。
【００１２】
即ち、単に、掃除用縦軸ブラシ２１を集塵ボックス３１の回収口部３２の前側に配置しても、掃除用縦軸ブラシ２１が掃き出したゴミの全てが集塵ボックス３１に回収されるわけではなく、一方、誘導体４０を設けると、回収効率は向上するが、誘導体４０を掃除用縦軸ブラシ２１の下方全域に設けると、当然ながら、誘導体４０の存在する部分の掃除用縦軸ブラシ２１は床面に接触せず、掃除用縦軸ブラシ２１の掃き出し作用を発揮できない。
そこで、本願では、誘導体４０の面積と掃除用縦軸ブラシ２１の作用面積とを調和させ、誘導体４０の誘導作用と掃除用縦軸ブラシ２１の掃き出し作用との両立を図ったものであり、誘導体４０は、前記左右の掃除用縦軸ブラシ２１の中央の接触部３０の下方に位置させる。
【００１３】
誘導体４０の後部には前記集塵ボックス３１の回収口部３２と同じ左右幅を有する後側誘導体４１を一体状に設ける。後側誘導体４１は誘導体４０から誘導されたゴミを集塵ボックス３１に誘導する。後側誘導体４１の下方には取付杆４２を設け、ボルト４３により着脱自在に取付ける。取付杆４２は、その両端を左右の側板７に固定する。
したがって、集塵ボックス３１は誘導体４０および後側誘導体４１をフレーム２側に残したまま本体１から取り外せる。
集塵ボックス３１の支持構成は任意であるが、前記カバー３の内面に内側に突出する係合ピン４４を前後一対設け、集塵ボックス３１の係合段部４５を上方から係合させている。
【００１４】
４６は、集塵ボックス３１の底板３３の前端に設けた前側起立部であり、前方に至るに従い高く、前上がりに傾斜させている。前側起立部４６は前記後側誘導体４１の後縁に臨ませている。
また、前側起立部４６の下方には位置決めストッパ４８を設けている。
また、集塵ボックス３１の側板３４には、掃除用縦軸ブラシ２１が通過しうる切欠部５０を設け、掃除用縦軸ブラシ２１の後部が集塵ボックス３１の前側起立部４６を越えて底板３３上を回転する構成としている。
フレーム２には、外側カバー３を装着する。カバー３の形状は任意であるが、平面視矩形形状とし、下側を全面開口させて、前記左右側板７の上部のフランジ部５１に着脱自在に固定する。
【００１５】
また、カバー３には、前記集塵ボックス３１を装着する開口部５３を形成している。
また、左右の掃除用縦軸ブラシ２１の接触部３０の前方のカバー３の前板５４には前側開口部５５を設ける。前側開口部５５の上縁は前記前側回転軸１３より低いが、掃除用縦軸ブラシ２１の基部よりも高位置に位置させ、前側開口部５５の下方を空コップや空き缶等の嵩のあるゴミが通過しうる高さを有して形成する。前記集塵ボックス３１の回収口部３２も同様に、空コップや空き缶等のゴミを回収しうる高さを有して開口させる。
前記フレーム２の後側連結フレーム５には、掃除機を走行操作するハンドル５６を設ける。
５７は前記後側走行車輪１２の高さ調節ダイヤルであり、高さ調節ダイヤル５７により後側走行車輪１２を後側連結フレーム５に対して上下させ、掃除用縦軸ブラシ２１の接地高さを調節する。
【００１６】
（実施例の作用）
次に作用を述べる。
本発明の実施例を図面により説明すると、ハンドル５６により本体１を押すと、走行車輪１０が回転し、本体１は前進する。走行車輪１０が回転すると、走行車輪１０の回転が車軸１１の出力歯車１５を回転させ、出力歯車１５の回転をチェン１６を介して従動歯車１４に伝達する。
従動歯車１４は前側回転軸１３を回転させ、前側回転軸１３の回転はブラシ縦軸２２１を回転させ、縦軸回転する掃除用縦軸ブラシ２１は床上の塵埃等を後方の集塵ボックス３１の回収口部３２に向けて掃き飛ばし、掃き飛ばされた塵埃等は集塵ボックス３１に収容され、所定量溜ると、集塵ボックス３１を外して廃棄すればよい。
【００１７】
この場合、左右の走行車輪１０の回転を出力歯車１５が出力するので、本体１の直進性を向上させる。
即ち、左右の一方の走行車輪１０の車軸１１に出力歯車１５を設けたのでは、出力歯車１５を設けた側の車軸１１にブレーキが掛かったのと同様になり、出力歯車１５を設けた側に向けて本体１は旋回しようとし、直進走行が円滑でなくなるが、本願では左右の車軸１１に出力歯車１５を設けているので、直進性を向上させる。
この場合、例えば、左右の出力歯車１５には、所謂ワンウエイクラッチ１７を内蔵させているので、旋回等の左右の出力歯車１５の回転に速度差が生じた場合には、左右の出力歯車１５のうちの早い回転を従動歯車１４に伝達させる。
【００１８】
このワンウエイクラッチ１７は、例えば、公知のラチエット機構により構成し、車軸１１からの一方向回転（前進回転）はブラシ縦軸２２に伝達するが、ブラシ縦軸２２から車軸１１への逆回転は空転させるように構成しているから、本体１を後進させたときに掃除用縦軸ブラシ２１が逆転するのを防止するのみならず、左右旋回するとき、左右の走行車輪１０に回転差が生じても旋回内側の出力歯車１５が空転することで回転差を吸収し、円滑に旋回する。
掃除用縦軸ブラシ２１は、フレーム２の前側に左右一対設けられ、左右の掃除用縦軸ブラシ２１は平面視円形形状に形成し、各掃除用縦軸ブラシ２１のブラシ縦軸２２には傘歯車２７を設け、各傘歯車２７には傘歯車２８により互いに反対回転が伝達されるので、左右の掃除用縦軸ブラシ２１は、その左右中間に床上のゴミや塵埃等を掃き集め、後方に掃き飛ばし、集塵ボックス３１に回収する。
【００１９】
掃除用縦軸ブラシ２１の後側には回収口部３２により前側を開放する集塵ボックス３１を設けているから、左右の掃除用縦軸ブラシ２１は、その左右中間に床上のゴミや塵埃等を掃き集め、後方に掃き飛ばし、集塵ボックス３１に回収する。
この場合、掃除用縦軸ブラシ２１は縦軸回転であるので、左右の掃除用縦軸ブラシ２１の間の床上のゴミを、掃除用縦軸ブラシ２１は後方に掃き飛ばし、集塵ボックス３１に回収する。
したがって、塵埃以外の空コップや空き缶等の嵩のあるゴミであっても、左右の掃除用縦軸ブラシ２１間を通過するゴミであれば、集塵ボックス３１に回収でき、回収効率を向上させ、操作性および作業性を向上させられる。
【００２０】
即ち、従来の掃除機は塵埃の回収を主目的とし、掃除用縦軸ブラシ２１を横軸回転としているので、集塵ボックス３１の回収口部３２の下端は掃除用縦軸ブラシ２１の回転軌跡に対してなるべく低く設置される。
そのため、ブラシの下方の塵埃をボックスに回収することはできても、空コップや空き缶等の嵩のあるゴミはボックスの下端あるいはブラシの下方を通過できないので、回収できず、別途、手作業で回収していたのである。
本願では、掃除用縦軸ブラシ２１を縦軸回転としているので、左右の掃除用縦軸ブラシ２１の間を通過するゴミであれば、高さを有するゴミであっても集塵ボックス３１に回収できる。
【００２１】
また、フレーム２にはカバー３を装着するが、カバー３の前側開口部５５の下縁は掃除用縦軸ブラシ２１の前側回転軸１３より低いが、前側回転軸１３と略同じ高さとしているので、横軸回転ブラシでは回収できないような空コップや空き缶等の嵩のあるゴミであっても、左右の掃除用縦軸ブラシ２１の間を通過して集塵ボックス３１に回収できる。
しかして、フレーム２に装着した集塵ボックス３１の底板３３の前方には前下がりの誘導体４０の基部を臨ませているので、床上の塵埃等は掃除用縦軸ブラシ２１の回転および誘導体４０の誘導により集塵ボックス３１に回収される。
【００２２】
即ち、単に、掃除用縦軸ブラシ２１で後方に塵埃を掃き飛ばしたので、集塵ボックス３１の回収口部３２から外れた塵埃は回収できないが、本願では、掃除用縦軸ブラシ２１と集塵ボックス３１の回収口部３２との間に誘導体４０を設けているので、掃除用縦軸ブラシ２１は床上から誘導体４０上に掃き上げ、そのまま誘導体４０上面を掃くことにより、回収口部３２に確実に誘導し、集塵ボックス３１に回収する。
この場合、掃除用縦軸ブラシ２１は、左右一対前側に配置し、しかも、平面視夫々円形形状に形成した左右の掃除用縦軸ブラシ２１が中央で弾性変形して重なり接触する接触部３０を形成し、この接触部３０の下方に誘導体４０を設けているので、左右の掃除用縦軸ブラシ２１の接触部３０では互いに床上のゴミを接触部３０上に送り、集塵ボックス３１に回収する。
【００２３】
また、左右の掃除用縦軸ブラシ２１が接触部３０で弾性変形して接触するので、嵩のあるゴミであっても、左右の掃除用縦軸ブラシ２１により挟持されるように後方に運ばれ、一層、良好に集塵ボックス３１に回収する。
また、誘導体４０は左右の掃除用縦軸ブラシ２１の接触部３０の下方に位置させているので、一層、案内誘導作用効果が高い。
即ち、誘導体４０を設けると、回収効率は向上するが、誘導体４０を掃除用縦軸ブラシ２１の下方全域に設けると、当然ながら、誘導体４０の存在する部分の掃除用縦軸ブラシ２１は床面に接触せず、掃除用縦軸ブラシ２１の掃き出し作用を発揮できなが、本願では、誘導体４０を、左右の掃除用縦軸ブラシ２１の接触部３０の下方に位置させているので、誘導体４０の誘導作用と掃除用縦軸ブラシ２１の掃き入れ作用との両立ができる。
【００２４】
誘導体４０の後部には集塵ボックス３１の回収口部３２と同じ左右幅を有する後側誘導体４１を一体状に設けているので、誘導体４０から誘導されたゴミは後側誘導体４１により集塵ボックス３１に誘導し、回収する。
また、集塵ボックス３１の底板３３の前端には前側起立部４６を設けているので、一旦、集塵ボックス３１に回収したゴミが、集塵ボックス３１を外すときに飛散するのを防止し、回収作業を容易にする。
誘導体４０の後部には集塵ボックス３１の回収口部３２と同じ左右幅を有する後側誘導体４１を設けているので、誘導体４０により集塵ボックス３１の回収口部３２まで誘導させれたゴミを集塵ボックス３１に誘導し、また、接触部３０を過ぎて掃除用縦軸ブラシ２１と共回りするゴミも左右の幅広の後側誘導体４１は集塵ボックス３１に誘導し、回収効率を向上させられる。
【００２５】
この場合、集塵ボックス３１の側板３４には、掃除用縦軸ブラシ２１が通過しうる切欠部５０を設けているので、掃除用縦軸ブラシ２１の後部が集塵ボックス３１の前側起立部４６を越えて底板３３上を回転する。
そのため、後側誘導体４１と切欠部５０の存在による掃除用縦軸ブラシ２１の配置との相乗効果により、一層、回収効率を向上させている。
なお、前側起立部４６の下方には位置決めストッパ４８を設けているので、集塵ボックス３１を装着すると、前側起立部４６が位置決めストッパ４８に当接し、前側起立部４６を後側誘導体４１に対して適正に位置させられる。
【００２６】
フレーム２に装着したカバー３の上面には開口部５３を形成し、カバー３の内面に内側に突出する係合ピン４４を前後一対設けているので、集塵ボックス３１を開口部５３から挿入して、集塵ボックス３１の係合段部４５を係合ピン係合ピン４４に上方から係合させると、装着が完了する。
反対に、単に、集塵ボックス３１を開口部５３から引き上げると、集塵ボックス３１の係合段部４５が係合ピン４４から離脱し、取り外しできる。
そのため、集塵ボックス３１は、誘導体４０および後側誘導体４１をフレーム２側に残したまま、本体１から取り外せ、しかも、留め具の着脱や、工具の使用などせずに、極めて簡単に、集塵ボックス３１の脱着が行え、ゴミの廃棄作業を頗る容易にする。
【符号の説明】
【００２７】
１…本体１  、２…フレーム、３…カバー、４…側部フレーム  、５…後側連結フレーム  、７…側板  、１０…走行車輪  、１１…車軸、１２…後側走行車輪  、１３…前側回転軸  、１４…従動歯車、１５…出力歯車、１６…チェン、１７…ワンウエイクラッチ、２０…取付部材、２１…掃除用縦軸ブラシ、２２…ブラシ縦軸、２５…ブラシ、２６…回転体、２７…傘歯車、２８…傘歯車、３０…接触部、３１…集塵ボックス、３２…回収口部、３３…底板、３４…側板、３５…後板、３６…天板、３７…把手、４０…誘導体、４１…後側誘導体、４２…取付杆、４３…ボルト、４４…係合ピン、４５…係合段部、４６…前側起立部、４８…位置決めストッパ、５０…切欠部、５１…フランジ部、５３…開口部、５４…前板、５５…前側開口部、５６…ハンドル。
【図１】
2012085735.tif 000003
【図２】
2012085735.tif 000004
【図３】
2012085735.tif 000005
【図４】
2012085735.tif 000006
【図５】
2012085735.tif 000007
【図６】
2012085735.tif 000008
【図７】
2012085735.tif 000009
【図８】
2012085735.tif 000010
【図９】
2012085735.tif 000011
【図１０】
2012085735.tif 000012
【図１１】
2012085735.tif 000013
【図１２】
2012085735.tif 000014
【図１３】
2012085735.tif 000015